(57)【要約】【課題】  競技者のメンタル面の不安を解消する一助となるゴルフ用手袋を提供する。【解決手段】  本願考案に係るゴルフ用手袋は、手袋の甲側に設けられた締付け片と締付け片を固定するための締付け片固定部とを備えるゴルフ用手袋であって、手袋の甲側、掌側、締付け片の表面又は裏面のいずれか一又は二箇所以上に任意の情報を表示したものである。締付け片固定部を枠状にし、その枠内に任意の情報を表示することもできる。この場合、締付け片に視認窓又は開口窓を備えることもできる。手袋の甲側の内面又は／及び掌側の内面に、任意の情報を収容可能な、透視性がある材質の収容部を設けることもできる。収容部を手袋の手差込口付近に設けて、手袋内に出し入れ可能にすることもできる。情報は、プレーに関するワンポイントアドバイス、激励などを表示したシート又は写真やイラスト等の画像とすることができる。【選択図】図１
0003148687.tif 000002
【実用新案登録請求の範囲】
【請求項１】
手袋の甲側に設けられた締付け片とその締付け片を固定するための締付け片固定部とを備えるゴルフ用手袋において、
手袋の甲側、掌側、締付け片の表面又は裏面のいずれか一又は二箇所以上に任意の情報を表示した、
ことを特徴とするゴルフ用手袋。
【請求項２】
手袋の甲側に設けられた締付け片とその締付け片を固定するための締付け片固定部とを備えるゴルフ用手袋において、
前記締付け片固定部を枠状にし、
前記枠内に任意の情報を表示した、
ことを特徴とするゴルフ用手袋。
【請求項３】
請求項２記載のゴルフ用手袋において、
締付け片は、締付け片固定部の枠内に表示された情報を外部から視認可能な視認窓又は開口窓を備える、
ことを特徴とするゴルフ用手袋。
【請求項４】
手袋の甲側に設けられた締付け片とその締付け片を固定するための締付け片固定部とを備えるゴルフ用手袋において、
手袋の甲側の内面又は／及び掌側の内面に、任意の情報を収容可能な収容部を備え、
前記収容部は、収容した情報を外部から視認可能な材質製である、
ことを特徴とするゴルフ用手袋。
【請求項５】
請求項４記載のゴルフ用手袋において、
収容部は手袋の手差込口付近に設けられ、その手差込口から手袋内に出し入れ自在である、
ことを特徴とするゴルフ用手袋。
【請求項６】
請求項１乃至請求項４のいずれかに記載のゴルフ用手袋において、
表示又は収容される情報は、プレーに関するワンポイントアドバイス、激励などを表示したシート又は写真、イラスト等の画像である、
ことを特徴とするゴルフ用手袋。
【考案の詳細な説明】
【技術分野】
【０００１】
本願考案はゴルフ手袋に関するものである。
【背景技術】
【０００２】
野球・ゴルフ・ソフトボールなどのスポーツではスポーツ用手袋が使用されている。スポーツ用手袋はゴルフクラブやバットなどのグリップ力を高めることを目的とするもの、滑りを防止することを目的とするもの等が種々考案されており、競技者の技術力の向上・改善の一助となっている。
【考案の開示】
【考案が解決しようとする課題】
【０００３】
スポーツは技術的な面のみならず、精神面（メンタル面）が大きな影響を及ぼすものである。特に、ゴルフはメンタル面が成績に大きく影響する。競技者の中には精神的な脆さに悩む人も多い。
【０００４】
本願考案の目的は、競技者のメンタル面の不安解消の一助となり、プラス思考のプレーができるようにしたゴルフ用手袋を提供することにある。
【課題を解決するための手段】
【０００５】
本願考案のゴルフ用手袋は、請求項１記載のように、手袋の甲側に設けられた締付け片とその締付け片を固定するための締付け片固定部とを備えるゴルフ用手袋において、手袋の甲側、掌側、締付け片の表面又は裏面のいずれか一又は二箇所以上に任意の情報を表示したものである。
【０００６】
本願考案のゴルフ用手袋は、請求項２記載のように、手袋の甲側に設けられた締付け片とその締付け片を固定するための締付け片固定部とを備えるゴルフ用手袋において、締付け片固定部を枠状にし、その枠内に任意の情報を表示したものである。
【０００７】
本願考案のゴルフ用手袋は、請求項３記載のように、請求項２記載のゴルフ用手袋において、締付け片に、締付け片固定部の枠内に表示された情報を外部から視認可能な視認窓又は開口窓を設けたものである。
【０００８】
本願考案のゴルフ用手袋は、請求項４記載のように、手袋の甲側に設けられた締付け片とその締付け片を固定するための締付け片固定部とを備えるゴルフ用手袋において、手袋の甲側の内面又は／及び掌側の内面に、任意の情報を収容可能な収容部を設け、前記収容部を、収容した情報を外部から視認可能な材質製としたものである。
【０００９】
本願考案のゴルフ用手袋は、請求項５記載のように、請求項４記載のゴルフ用手袋において、収容部はゴルフ用手袋の手差込口付近に設けられ、前記手差込口からゴルフ用手袋内に出し入れ自在であることを特徴とする。
【００１０】
本願考案のゴルフ用手袋は、請求項６記載のように、請求項１乃至請求項４のいずれかに記載のゴルフ用手袋において、表示又は収容される情報は、プレーに関するワンポイントアドバイス、激励などを表示したシート又は写真、イラスト等の画像であることを特徴とする。
【考案の効果】
【００１１】
本願考案のゴルフ用手袋には次のような効果がある。
（１）手袋の甲側、掌側、締付け片の表面又は裏面のいずれか一又は二箇所以上に任意の情報、例えば、家族（パパ、ママ、可愛い子供たち）、友人、知人などからのユニークなメッセージやプロ選手からの的確なアドバイス等を表示することができ、それらを観たり読んだりすることにより精神的な不安解消の一助となる。また、気持ちが楽になり楽しんで競技に臨めるようになり、成績向上の一助ともなる。
（２）締付け片固定部を枠状にし、前記枠内に任意の情報を表示可能としたので、家族等からのメッセージや、プロ選手からのアドバイス以外にも家族の写真や、好きなイラスト等の画像を表示することもできる。
（３）締付け片に視認窓又は開口窓を設け、締付け片固定部の枠内に表示されたメッセージや写真等の情報を外部から視認可能としたので、その都度締付け片を開閉しなくてもメッセージ等を見ることができる。
（４）手袋の甲側の内面又は／及び掌側の内面に、メッセージや写真等の情報を収容可能な収容部を設けたので、プレー中は邪魔にならないように収容部を手袋内に収めておくことができる。
【考案を実施するための最良の形態】
【００１２】
（実施形態１）
本願考案に係るゴルフ用手袋の実施形態の一例を図面に基づいて説明する。本願考案のゴルフ用手袋１（以下、単に「手袋１」という）は、手を出し入れするための手差込口２と、手袋１の手差込口２に開口する切り込み３と、切り込み３の一方の周縁４に開閉自在に取付けた締付け片５と、締付け片５を係止固定する締付け片固定部６を備えている。締付け片５の内面にはマジックテープ（商標登録第１５０１０１６号：以下同じ）が取り付けられている。締付け片固定部６には締付け片５のマジックテープと係止・離脱可能なマジックテープが使用されている。
【００１３】
図１（ａ）の手袋１では、手袋１の甲８側表面にプレーに関するメッセージ９が表示されている。メッセージ９はゴルフに関する諺、明言、ユニークな文章、例えば「ゴルフをする女性は美人になる」、プレーに関するワンポイントアドバイス、例えば「背中の力を抜いて」、「ボールから眼を放すな」、「打つ前に深呼吸」、「頭を残してインサイドアウト」、「いつも、ナイスショットの声がかかるように打て」、家族（パパ、ママ、子供たち）、友人、知人などからの激励メッセージ、例えば「パパ頑張って」「景品を待っているわ」といった内容である。メッセージ９は手袋１の甲８側のみならず、掌側、締付け片５の表面や裏面にも表示することもできる。この場合、表示箇所は一箇所に限らず複数個所とすることもできる。
【００１４】
図１（ａ）の手袋１では、締付け片固定部６の中央部を方形に切り取って方形の枠状にし、その枠１０内に前記各種メッセージ９を表示してある。この場合締付け片５を開くと前記メッセージ９を見ることができる。枠１０の上面は開口したままにしておいても良いが、透明なカバーを張ってその上から前記メッセージ９を透視できるようにしておくこともできる。前記枠１０内には、メッセージ９のほか、家族、師匠、恋人、家族等の写真や好きなイラスト等を表示することもできる。
【００１５】
（実施形態２）
図１（ｂ）の手袋１は締付け片固定部６の中央部を方形に切り取って方形の枠状にし、その枠１０の内側に前記各種メッセージ９を表示し、締付け片５に方形の視認窓１１を開口して、締付け片５を開かなくても前記メッセージ９を視認窓１１から見ることができるようにしてある。この場合、視認窓１１に透明なカバーを張っておくこともできる。
【００１６】
前記メッセージ９は手袋１に直接表示しておくこともできるが、シール等に表示しておき、そのシールを手袋１に貼って表示することもできる。
【００１７】
（実施形態３）
本願考案では、図２に示すように手袋１に収容部１２を設けておき、その出入り口１３から内部空間に、メッセージ９を表示したシート１４を出し入れすることもできる。メッセージ９の内容は実施形態１のメッセージ９と同じものであってもよく、他のものであっても良い。前記図２の収容部１２は透明な樹脂製の袋であり、出入り口１３に封止機構を設けてある。この収容部１２は手差込口２の内側に取付けてあり、プレーの邪魔とならないよう手袋１の内側に折返して収容できるようにしてある。手袋１への収容部１２の取付けは接着材、両面テープ、縫い付け等各種手段で行うことができ、取付け箇所は手袋１の甲８側内面であっても掌側内面であってもよい。この収容部１２は表裏両面から内部を透視できるため、両面にメッセージ９が表示されたシート１４や写真等を収容しておけば、収容部１２を手袋１内から引き出すことにより両面のメッセージ９や写真を見ることができる。シート１４は家族、師匠、恋人、家族等の写真であってもよく、その裏面にメッセージ９を記入したものでもよい。この場合は、収容部１２に収容するシート１４を入れ替えることができる。
【００１８】
（実施形態４）
本願考案では、図１（ａ）、（ｂ）に示す手袋の方形枠状の締付け片固定部６の枠１０の上面に透明カバーを張り、締付け片固定部６の一辺を開口しておくことにより、締付け片固定部６の内側を収容部１２とすることも出来る。この場合も、収容部１２に収容するシート１４を入れ替えることができる。収容部１２内に収容したシート１４や写真等は、図１（ａ）の場合は締付け片５を開くことにより見ることができ、図１（ｂ）の場合は締付け片５を開かなくとも、締付け片５に形成してある四角形の視認窓１１から見ることができる。
【００１９】
（実施形態５）
図１（ａ）、（ｂ）に示す締付け片固定部６の輪郭形状、枠１０の内形状は共に方形（四角形）であるが、それら形状はハート形、円形、楕円形、星型といった所望の形状にすることができる。
【００２０】
（実施形態６）
本願考案ではメッセージ９を図示した以外の場所に表示してもよく、例えば、手袋１の外面の甲８以外の場所、手袋１の内面のいずれかの場所、それらの両方の場所、締付け片５の外側等であってもよい。シート１４を出し入れ可能な収容部１２も図示した以外の場所、例えば、締付け片５の外側等に設けることもできる。
【００２１】
（実施形態７）
本願考案では、図３に示すように、手袋１の甲８を開閉可能なものとして、その甲８の内面にメッセージ９や家族、師匠、恋人、家族等の写真や好きなイラスト等を表示することもできる。メッセージ９は接着剤、テープ材など各種接着手段で甲８の内面に固定して表示することができる。甲８の内面に外部から視認可能な透視性を有する収容部１２を取り付け、収容部１２内にメッセージ９等を収容することもできる。この場合、収容部１２に入れるメッセージ９や写真を任意に入れ替えることができる。開いた甲８は一旦手袋１の本体側に戻し、線ファスナー、ボタン、マジックテープなど各種固定手段（図示しない）によって手袋１の本体に固定することができる。
【００２２】
（その他の実施形態）
本願考案の手袋１は、締付け片５と締付け片固定部６とを備えるものであるが、これらを備えない手袋１の甲８側や掌側などにメッセージ９や写真、イラスト等の画像を表示することもできる。
【図面の簡単な説明】
【００２３】
【図１】本願考案の実施形態の一例であって、（ａ）は手袋の係止片にメッセージを表示した場合の正面図、（ｂ）は手袋の係止片にメッセージを表示し且つ手袋の締付け片に視認窓を開口した場合の正面図。
【図２】本願考案のゴルフ用手袋の他例であって、袋状の収容部を設けた場合の説明図である。
【図３】本願考案のゴルフ用手袋の他例であって、手袋の甲を開閉可能にした場合の説明図である。
【符号の説明】
【００２４】
１  ゴルフ用手袋（手袋）
２  手差込口
３  切り込み
４  周縁
５  締付け片
６  締付け片固定部
８  甲
９  メッセージ
１０  枠
１１  視認窓
１２  収容部
１３  出入り口
１４  シート
【図１】
0003148687.tif 000003
【図２】
0003148687.tif 000004
【図３】
0003148687.tif 000005